(57)【要約】【課題】画像形成装置等の表示部にウェブページを表示させる場合に、当該電気機器の操作性を低下させることなく、ユーザにとってのウェブページ視認性も確保する。【解決手段】画像を表示する表示部と、表示部にウェブページを表示させるウェブブラウザ５２２１と、画像形成装置の動作状態を検出する動作状態検出部５２１２と、動作状態検出部５２１２によって検出された動作状態を、表示部におけるステイタス領域に表示させるパネルアプリケーション５２２２とを備え、ウェブブラウザ５２２１は、表示部におけるステイタス領域以外の領域にウェブページを表示させる。【選択図】図３
2010068455.tif 000002
【特許請求の範囲】
【請求項１】
画像を表示する表示部と、
前記表示部にウェブページを表示させるウェブブラウザ機能部と、
当該表示制御装置が設けられている電気機器の動作状態を検出する動作状態検出部と、
前記動作状態検出部によって検出された動作状態を、前記表示部において前記動作状態の表示領域として予め定められたステイタス領域に表示させる状態表示制御部とを備え、
前記ウェブブラウザ機能部は、前記表示部におけるステイタス領域以外の領域に前記ウェブページを表示させる表示制御装置。
【請求項２】
前記状態表示制御部は、前記動作状態検出部によって検出された前記動作状態のうち、予め定められた動作状態のみを、前記ステイタス領域に表示する請求項１に記載の表示制御装置。
【請求項３】
前記状態表示制御部は、前記予め定められた動作状態について、前記ステイタス領域への表示を優先的に行わせる優先順位を保有し、前記動作状態検出部によって前記予め定められた動作状態が複数検出された場合には、当該優先順位の高い動作状態を、前記ステイタス領域に表示する請求項２に記載の表示制御装置。
【請求項４】
前記状態表示制御部は、前記ステイタス領域に表示可能な前記動作状態の最大個数を記憶しており、当該個数を超える動作状態が前記動作状態検出部によって検出された場合には、前記優先順位の高いものから順に前記個数分の動作状態を選択して、前記ステイタス領域に表示する請求項３に記載の表示制御装置。
【請求項５】
印刷対象データに基づいて記録紙に画像を記録する記録部と、
請求項１乃至請求項４のいずれかに記載の表示制御装置とを備えた、前記電気機器としての画像形成装置。
【請求項６】
表示制御装置に内蔵されるコンピュータを、
前記表示制御装置の表示部にウェブページを表示させるウェブブラウザ機能部と、
当該表示制御装置が設けられている電気機器の動作状態を検出する動作状態検出部と、
前記動作状態検出部によって検出された動作状態を、前記表示部において前記動作状態の表示領域として予め定められたステイタス領域に表示させる状態表示制御部として機能させ、
前記ウェブブラウザ機能部は、前記表示部におけるステイタス領域以外の領域に前記ウェブページを表示させるように機能させる表示制御プログラム。
【発明の詳細な説明】
【技術分野】
【０００１】
本発明は、表示制御装置、画像形成装置、及び表示制御プログラムに関し、特に、電気機器の動作状態とウェブページとを表示部に表示させる際の技術に関する。
【背景技術】
【０００２】
従来から、コピー機や、複合機（コピー機能、プリンタ機能、ファクシミリ機能、スキャナ機能を兼ね備えた機器）等の画像形成装置には、ユーザに対して操作案内を表示するために、ＬＣＤ（Liquid Crystal Display）等からなる表示部が設けられている。そして、下記特許文献１に示されるように、画像形成装置をインターネット接続し、当該表示部に、上記操作案内に加えてインターネット上のウェブページを表示可能にしたものが提案されている。
【特許文献１】特開２００３−１２２２７９号公報
【発明の開示】
【発明が解決しようとする課題】
【０００３】
上記従来の画像形成装置は、表示部の画面全体にウェブページを表示する。例えば、パーソナルコンピュータ等であれば、表示部の画面全体に亘ってウェブページを表示させてウェブページ表示面積を大きくすることは、ユーザにとっての操作性及び視認性の向上に貢献するが、画像形成装置の場合、ウェブページのみを表示させると、画像形成装置の操作案内が表示部に表示できないため、却って、ユーザにとって画像形成装置の操作性を低下させる。
【０００４】
本発明は、上記の問題を解決するためになされたもので、画像形成装置等の電気機器に設けられた表示部にウェブページを表示させる場合に、当該電気機器の操作性を低下させることなく、ユーザにとってのウェブページ視認性も確保することを目的とする。
【課題を解決するための手段】
【０００５】
本発明の請求項１に記載の発明は、画像を表示する表示部と、
前記表示部にウェブページを表示させるウェブブラウザ機能部と、
当該表示制御装置が設けられている電気機器の動作状態を検出する動作状態検出部と、
前記動作状態検出部によって検出された動作状態を、前記表示部において前記動作状態の表示領域として予め定められたステイタス領域に表示させる状態表示制御部とを備え、
前記ウェブブラウザ機能部は、前記表示部におけるステイタス領域以外の領域に前記ウェブページを表示させる表示制御装置である。
【０００６】
また、請求項６に記載の発明は、表示制御装置に内蔵されるコンピュータを、
前記表示制御装置の表示部にウェブページを表示させるウェブブラウザ機能部と、
当該表示制御装置が設けられている電気機器の動作状態を検出する動作状態検出部と、
前記動作状態検出部によって検出された動作状態を、前記表示部において前記動作状態の表示領域として予め定められたステイタス領域に表示させる状態表示制御部として機能させ、
前記ウェブブラウザ機能部は、前記表示部におけるステイタス領域以外の領域に前記ウェブページを表示させるように機能させる表示制御プログラムである。
【０００７】
これらの発明によれば、ウェブブラウザ機能部によって電気機器の表示部にウェブページが表示される場合に、当該ウェブブラウザ機能部は、状態表示制御部によって電気機器の動作状態が表示されるステイタス領域以外の領域にウェブページを表示させるので、当該電気機器が操作性向上のために本来表示させるべき上記動作状態の表示領域を表示部の画面上に確保しつつ、ユーザにとってのウェブページ視認性も確保することができる。
【０００８】
また、請求項２に記載の発明は、請求項１に記載の表示制御装置であって、前記状態表示制御部は、前記動作状態検出部によって検出された前記動作状態のうち、予め定められた動作状態のみを、前記ステイタス領域に表示するものである。
【０００９】
画像形成装置等の電気機器に設けられている表示部は、パーソナルコンピュータの大画面ではなく比較的小さな画面であるため、ウェブページの表示領域と、電気機器の動作状態を表示する上記ステイタス領域は領域面積が制限されるが、本発明のように、動作状態検出部によって検出された動作状態のうち、予め定められた動作状態のみを状態表示制御部がステイタス領域に表示することによって、限られた面積でなる狭いステイタス領域に、有用な動作状態情報を的確に表示させることが可能になる。
【００１０】
また、請求項３に記載の発明は、請求項２に記載の表示制御装置であって、前記状態表示制御部は、前記予め定められた動作状態について、前記ステイタス領域への表示を優先的に行わせる優先順位を保有し、前記動作状態検出部によって前記予め定められた動作状態が複数検出された場合には、当該優先順位の高い動作状態を、前記ステイタス領域に表示するものである。
【００１１】
本発明のように、動作状態検出部によって上記動作状態が複数検出された場合に、優先順位の高い動作状態を状態表示制御部がステイタス領域に表示することによって、限られた面積でなる狭いステイタス領域に、検出された複数の動作状態の中でも、真に有用な動作状態情報を抽出して表示させることが可能になる。
【００１２】
また、請求項４に記載の発明は、請求項３に記載の表示制御装置であって、前記状態表示制御部は、前記ステイタス領域に表示可能な前記動作状態の最大個数を記憶しており、当該個数を超える動作状態が前記動作状態検出部によって検出された場合には、前記優先順位の高いものから順に前記個数分の動作状態を選択して、前記ステイタス領域に表示するものである。
【００１３】
この発明によれば、動作状態検出部によって上記動作状態が複数検出された場合に、状態表示制御部が、優先順位の高いものからステイタス領域に表示可能な個数分の動作状態を選択してステイタス領域に表示するので、限られた面積でなる狭いステイタス領域に、真に有用な動作状態を可能な限り多く表示させることが可能になる。
【００１４】
また、請求項５に記載の発明は、印刷対象データに基づいて記録紙に画像を形成する画像形成部と、
請求項１乃至請求項４のいずれかに記載の表示制御装置とを備えた、前記電気機器としての画像形成装置である。
【００１５】
この発明によれば、請求項１乃至請求項４のいずれかに記載の発明が奏する作用を得ることができる。
【発明の効果】
【００１６】
本発明によれば、例えば画像形成装置等の電気機器について、操作性向上のために本来表示部に表示させるべき当該機器の動作状態の表示領域を、表示部の画面上に確保しつつ、ユーザにとってのウェブページ視認性も確保することができる。
【発明を実施するための最良の形態】
【００１７】
以下、本発明に係る表示制御装置を備える画像形成装置の実施形態を説明する。図１は、本発明に係る表示制御装置を備える画像形成装置の一実施形態である複合機の構成を示す側面概略図である。
【００１８】
複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００１９】
操作部４００は、ＬＣＤ（Liquid Crystal Display）等からなる表示部（表示手段）４１０と、操作者から操作指示が入力される操作キー部４３０を備える。操作キー部４３０は、スタートキー及びテンキー等を備える。
【００２０】
原稿給送部６００は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、複合機１の制御ブロック図である。複合機１は、スキャナ部１１、画像処理部２１、記録部３１、操作部４００、制御ユニット５０、ネットワークＩ／Ｆ（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、記録部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
記録部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。記録部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークＩ／Ｆ部７１は、ネットワークインタフェース等を用い、イーサネット（登録商標）等によりＬＡＮ（Local Area Network）を介して、外部装置との間での種々のデータの送受信を制御すると共に、インターネットへの接続を行う。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、種々の操作画面を表示すると共に、操作者が表示面（表示されている操作キー）をタッチすることで種々の機能の実行指令を入力することが可能である。操作キー部４３０は、上述のようにスタートキー、テンキー等を有する。
【００３１】
制御ユニット５０は、制御部５２と、表示画像データ記憶部５３とを備える。
【００３２】
制御部５２は、メインコントローラユニット５２１と、表示制御ユニット５２２とを備える。メインコントローラユニット５２１は、複合機１の動作制御を司る。表示制御ユニット５２２は、ユーザに対する複合機１の操作案内情報の表示、複合機１各部の動作機構の動作状態、及びウェブページ等を表示部４１０に表示させるための表示制御を行う。表示画像データ記憶部５３は、表示部４１０に表示させる各種の画像データを記憶している。表示画像データ記憶部５３に記憶されている当該各種画像データは、ユーザに対する複合機１の各操作案内情報の表示、複合機１各部の動作機構の動作状態を表示するために、それぞれの操作案内情報や動作状態に対応した画像からなるものである。
【００３３】
図３は複合機１の制御ユニット５０の構成を抽出して示す図である。制御ユニット５０は、上述したように、メインコントローラユニット５２１と、表示制御ユニット５２２とを備える。当該メインコントローラユニット５２１は例えばＣＰＵからなり、表示制御ユニット５２２は例えばＡＳＩＣ（Application Specific Integrated Circuit）からなり、これらを構成する各ボードは、例えばＵＳＢ（Universal Serial Bus）で接続される。
【００３４】
メインコントローラユニット５２１は、動作制御部５２１１と、動作状態検出部５２１２と、プロキシサーバ５２１３とを備える。
【００３５】
動作制御部５２１１は、複合機１の各部（スキャナ部１１，画像処理部２１、記録部３１等）の動作制御を司る。
【００３６】
動作状態検出部５２１２は、複合機１の各機構の動作状態を、動作制御部５２１１によるジョブ処理状況や、各機構から送信されてくる信号（例えば、本体部２００の前扉の開閉を検知するスイッチから送出されてくる扉開信号、画像形成部３３の現像装置２０７から送出されてくる残存トナー量検知信号等、又は図略のエラー検知機構が複合機１の動作中における各部の動作エラーを検知したときに当該エラー検知機構から送出されてくるエラー発生信号等）に基づいて検出する。当該検出される動作状態の例としては、ファクシミリ受信中、ジョブ実行中、エラー発生（給紙カセット２０１から排出トレイ２１０までを繋ぐ用紙搬送路や、原稿給送部６００の原稿搬送部６０３等における紙詰まりや、画像形成部３３及び転写部３４等の故障による異常停止等）、本体部２００の前扉が開状態、残存トナー量僅少、フィニッシャによる後処理進行状況等が挙げられる。
【００３７】
プロキシサーバ５２１３は、ウェブブラウザ５２２１とインターネット網の間に介在してインターネットとの接続を行なう。プロキシサーバ５２１３は、イーサネット（登録商標）等を介してインターネットに接続する。
【００３８】
表示制御ユニット５２２は、ウェブブラウザ５２２１と、パネルアプリケーション５２２２とを備える。
【００３９】
ウェブブラウザ（ウェブブラウザ機能部）５２２１は、表示部４１０にインターネット上のウェブページを表示させるために必要な処理を実行する。
【００４０】
パネルアプリケーション５２２２は、複合機１の各操作案内や、動作状態検出部５２１２によって検出された複合機１の上記動作状態を表示部４１０に表示させるために必要な処理を実行する。パネルアプリケーション５２２２は、複合機１の各操作案内や、動作状態検出部５２１２によって検出された複合機１各部の動作機構の動作状態に対応する画像データを、上記表示画像データ記憶部５３から読み出して、表示部４１０に表示させる。パネルアプリケーション５２２２は、当該各動作状態に対応する画像データの表示は、表示部４１０において当該動作状態の表示領域として予め定められたステイタス領域に表示させる。また、ウェブブラウザ５２２１は、表示部４１０におけるステイタス領域以外の領域に上記ウェブページを表示させる。
【００４１】
本発明の一実施形態に係る表示制御装置は、例えば、制御ユニット５０及び表示部４１０を備えてなる。
【００４２】
なお、上記には、制御部５２が、ＣＰＵからなるメインコントローラユニット５２１と、ＡＳＩＣからなる表示制御ユニット５２２とで構成され、別個に表示画像データ記憶部５３が設けられている例を示したが、これに限られず、例えば、ＨＤＤ７４に本発明の一実施形態に係る表示制御プログラムが記憶されており、ＣＰＵ等からなる制御部５２が、当該表示制御プログラムに従って動作することで、上記動作制御部５２１１、動作状態検出部５２１２、プロキシサーバ５２１３、ウェブブラウザ５２２１と、パネルアプリケーション５２２２と、表示画像データ記憶部５３として機能するものであってもよい。
【００４３】
次に、複合機１における表示部４１０の表示制御を説明する。図４は複合機１における表示部４１０の表示制御を示すフローチャートである。図５は初期操作画面の例を示す図である。図６はコピー動作実行中を示す画面の例を示す図である。図７はウェブページ表示画面の例を示す図である。
【００４４】
ユーザが、複合機１の使用開始時に当該複合機１の主電源をＯＮにすると（Ｓ１でＹＥＳ）、パネルアプリケーション５２２２は、表示画像データ記憶部５３から、初期操作画面に対応する画像データを読み出して、図５に示すような初期画面４１０１を表示部４１０に表示させる（Ｓ２）。このとき、パネルアプリケーション５２２２は、ステイタス領域４１０５以外の領域に初期画面４１０１を表示させる。操作部４００は、ユーザから各種動作実行指示（コピー動作実行指示やウェブページ表示指示等）が受付可能な状態となる。この初期画面４１０１は、図５に示すように、例えばコピー動作時の各種設定を受け付けるキー１０１乃至１０４等が表示されると共に、ウェブブラウザを起動させる指示（ウェブブラウザの起動により予め設定されているウェブページを表示部４１０に表示させる指示）をユーザから受け付けるブラウザキー１０５が表示される。当該初期画面４１０１及び以下に示す各画面に表示されるキーは、タッチパネル機能によりユーザからの指示の入力がウェブブラウザ５２２１や動作制御部５２１１２等に受け付けられる。
【００４５】
ここで、ユーザによる操作部４００の操作で、いずれかの動作実行指示、例えば、コピー動作実行指示が入力され、当該指示が操作部４００に受け付けられた場合（Ｓ３でＹＥＳ）、動作制御部５２１１は、指示された動作、ここではコピー動作を実行する（Ｓ４）。このとき、パネルアプリケーション５２２２は、表示画像データ記憶部５３から、コピー動作中を示す画面に対応する画像データを読み出して、図６に示すようなコピー動作中画面４１０２（動作実行中を示す画面の一例）を表示部４１０に表示させる（Ｓ５）。このときも、パネルアプリケーション５２２２は、ステイタス領域４１０５以外の領域にコピー動作中画面４１０２を表示させ、また、コピー動作中画面４１０２中にブラウザキー１０５が表示される。なお、操作部４００がユーザからいずれの動作実行指示も受け付けない場合は（Ｓ３でＮＯ）、Ｓ４及びＳ５の処理はスキップされる。
【００４６】
また、ユーザにより、初期画面４１０１又はコピー動作中画面４１０２において、ブラウザキー１０５が押下され、操作部４００にウェブページ表示指示が受け付けられた場合は（Ｓ６でＹＥＳ）、ウェブブラウザ５２２１は、プロキシサーバ５２１３を介して、ブラウザ表示時の第１ページとして予め設定されているウェブページのウェブサイトにアクセスし、当該ウェブサイトから、第１ページとなるウェブページの画像データを取得して、例えば図７に示すようなウェブページ表示画面４１０３を表示部４１０に表示する（Ｓ７）。すなわち、ウェブブラウザ５２２１は、パネルアプリケーション５２２２によって表示部４１０に表示されている初期画面４１０１又はコピー動作中画面４１０２を、上記ウェブページ表示画面４１０３に切り換える。このとき、ウェブブラウザ５２２１は、ステイタス領域４１０５以外の領域に前記ウェブページ表示画面４１０３を表示させる。
【００４７】
このウェブページ表示画面４１０３は、タッチパネル機能を利用してユーザがウェブページのスクロール指示、ウェブページを閉じる指示等を入力する操作を容易にするため、スクロールバーＢ１や画面クローズボタンＢ２は、ユーザが指で触れやすい程度の大きさに設定されている。
【００４８】
なお、操作部４００がユーザからウェブページ表示指示を受け付けない場合は（Ｓ６でＮＯ）、Ｓ７の処理はスキップされる。
【００４９】
次に、複合機１の動作状態をステイタス領域４１０５に表示する処理の第１実施形態を説明する。図８は複合機１の動作状態をステイタス領域に表示する処理の第１実施形態を示すフローチャートである。
【００５０】
動作状態検出部５２１２は、複合機１の起動後は継続して複合機１の各部の動作状態検出を行う。パネルアプリケーション５２２２が初期画面４１０１又はコピー動作中画面４１０２等を表示させている時や、ウェブブラウザ５２２１が表示部４１０にウェブページ表示画面４１０３を表示させている時に、動作状態検出部５２１２によって上述した動作状態が検出されると（Ｓ１１でＹＥＳ）、パネルアプリケーション５２２２は、動作状態検出部５２１２によって検出された動作状態に対応する画像データを、表示画像データ記憶部５３から読み出して、例えば、ファクシミリ受信中の動作が検出されている場合は、図９乃至図１１に示すように、初期画面４１０１、コピー動作中画面４１０２又はウェブページ表示画面４１０３のステイタス領域４１０５に、ファクシミリ受信中の動作に対応する画像Ｃ１を表示する（Ｓ１２）。
【００５１】
なお、パネルアプリケーション５２２２は、動作状態検出部５２１２によって検出された動作状態が複数である場合は、当該複数の動作状態に対応する画像データを表示画像データ記憶部５３から読み出し、図１２に示すように、各動作状態を示す画像Ｃ１，Ｃ２を並列させてステイタス領域４１０５内に表示する。
【００５２】
次に、複合機１の動作状態をステイタス領域４１０５に表示する処理の第２実施形態を説明する。図１３は複合機１の動作状態をステイタス領域に表示する処理の第２実施形態を示すフローチャートである。なお、上述した第１実施形態と同様の処理は説明を省略する。
【００５３】
当該第２実施形態では、パネルアプリケーション５２２２は、動作状態検出部５２１２によって上記動作状態が検出されると（Ｓ２１でＹＥＳ）、当該検出された動作状態が、ステイタス領域に表示する動作状態として、予め定められた動作状態であるかを判断する（Ｓ２２）。パネルアプリケーション５２２２は、ステイタス領域４１０５に表示させる対象とする各種動作状態（予め定められた動作状態）の情報を記憶しており、当該情報に基づいて上記予め定められた動作状態であるかの判断を行い、上記検出された動作状態が、当該予め定められた動作状態である場合に限り、上記検出された動作状態に対応する画像をステイタス領域４１０５に表示する。
【００５４】
例えば、パネルアプリケーション５２２２には、ステイタス領域４１０５に表示する各種動作状態として、緊急にユーザに対して報知する必要がある動作状態（例えば、紙詰まり発生、残存トナー量僅少、本体部２００の前扉開等）を記憶させておき、さほど報知緊急性のない動作状態（例えば、ファクシミリ受信中等）を記憶させないようにする。これにより、初期画面４１０１やウェブページ表示画面４１０３等で使用される表示領域以外の限られた面積でなるステイタス領域４１０５に、有用な動作状態情報を効率よく表示させることが可能になる。
【００５５】
次に、複合機１の動作状態をステイタス領域４１０５に表示する処理の第３実施形態を説明する。図１４は複合機１の動作状態をステイタス領域に表示する処理の第３実施形態を示すフローチャートである。なお、上述した第１又は第２実施形態と同様の処理は説明を省略する。
【００５６】
当該第３実施形態では、パネルアプリケーション５２２２は、動作状態検出部５２１２によって上記動作状態が検出されると（Ｓ３１でＹＥＳ）、この時点で検出されている動作状態の個数が、ステイタス領域４１０５に表示可能な個数の範囲内に収まっているか否かを判断する（Ｓ３２）。すなわち、パネルアプリケーション５２２２は、上記動作状態を示す画像をステイタス領域４１０５に表示するに際し、当該画像をステイタス領域４１０５に表示可能な最大個数の情報を記憶しており、当該最大個数情報に基づいて、上記検出された動作状態の個数が、ステイタス領域４１０５に表示可能な個数の範囲内に収まっているか否かを判断する。
【００５７】
Ｓ３２において、パネルアプリケーション５２２２が、上記検出された動作状態の個数が、ステイタス領域４１０５に表示可能な個数の範囲内に収まっていると判断した場合は（Ｓ３２でＹＥＳ）、パネルアプリケーション５２２２は、当該検出された全ての動作状態に対応する画像データを表示画像データ記憶部５３から読み出し、各動作状態を示す画像をステイタス領域４１０５に表示する（Ｓ３４）。
【００５８】
一方、Ｓ３２において、パネルアプリケーション５２２２が、上記検出された動作状態の個数が、ステイタス領域４１０５に表示可能な個数の範囲内に収まっていないと判断した場合は（Ｓ３２でＮＯ）、パネルアプリケーション５２２２は、予め記憶している優先順位情報に基づいて、当該優先順位の高い動作状態から順に、上記ステイタス領域４１０５に表示可能な最大個数分の動作状態を抽出して（Ｓ３３）、ステイタス領域４１０５に表示する（Ｓ３４）。
【００５９】
例えば、パネルアプリケーション５２２２は、複合機１の各種動作状態に対して、緊急にユーザに対して報知する必要性の高いものから順に付与されたステイタス領域４１０５への表示優先順位の情報を記憶しており（報知緊急性の高い動作状態、例えば、本体部２００の前扉開が第１位、紙詰まり発生が第２位、残存トナー量僅少が第３位等とし、さほど報知緊急性のない動作状態、例えばファクシミリ受信中は最下位とする等）、当該優先順位に基づいて、上記表示可能な個数分の動作状態の選択を行う。
【００６０】
これにより、限られた面積でなる狭いステイタス領域４１０５に、真に有用な動作状態を、可能な限り多く表示させることが可能になる。
【００６１】
また、第３実施形態では、パネルアプリケーション５２２２は、上記検出された動作状態の個数が、ステイタス領域４１０５に表示可能な個数の範囲内に収まっていない場合に、上記優先順位に基づいて、ステイタス領域４１０５に表示可能な最大個数分の動作状態を選択し、当該選択した個数分の動作状態をステイタス領域４１０５に表示するが、これに代えて、パネルアプリケーション５２２２は、上記検出された動作状態の個数が複数である場合に、上記優先順位に基づいて、最も優先順位の高い動作状態に対応する画像データのみを表示画像データ記憶部５３から読み出し、当該最も優先順位の高い動作状態を示す画像のみをステイタス領域４１０５に表示するようにしてもよい。
【００６２】
なお、本発明は上記実施の形態の構成に限られず種々の変形が可能である。例えば、上記実施形態では、パネルアプリケーション５２２２及びウェブブラウザ５２２１は、ステイタス領域４１０５以外の領域に、初期画面４１０１等又はウェブページ表示画面４１０３を表示させているが、動作状態検出部５２１２によって動作状態が検出されるまでは、表示部４１０の表示画面の全領域に初期画面４１０１等又はウェブページ表示画面４１０３を表示させておき、動作状態検出部５２１２によって動作状態が検出された時点で、パネルアプリケーション５２２２及びウェブブラウザ５２２１が、ステイタス領域４１０５以外の領域に、初期画面４１０１等又はウェブページ表示画面４１０３の表示領域を縮減させるようにしてもよい。
【００６３】
また、上記実施形態では、本発明に係る表示制御装置、画像形成装置、及び表示制御プログラムの実施形態を、図１乃至図１４に示しているが、これらは本発明の一例に過ぎず、本発明の構成又は処理等をこれらに限定する趣旨ではない。
【図面の簡単な説明】
【００６４】
【図１】本発明に係る表示制御装置を備える画像形成装置の一実施形態である複合機の構成を示す側面概略図である。
【図２】複合機の制御ブロック図である。
【図３】複合機の制御ユニットの構成を抽出して示す図である。
【図４】複合機における表示部の表示制御を示すフローチャートである。
【図５】初期操作画面の例を示す図である。
【図６】コピー動作実行中を示す画面の例を示す図である。
【図７】ウェブページ表示画面の例を示す図である。
【図８】複合機の動作状態をステイタス領域に表示する処理の第１実施形態を示すフローチャートである。
【図９】初期操作画面の例を示す図である。
【図１０】コピー動作中画面の例を示す図である。
【図１１】ウェブページ表示画面の例を示す図である。
【図１２】ウェブページ表示画面の例を示す図である。
【図１３】複合機の動作状態をステイタス領域に表示する処理の第２実施形態を示すフローチャートである。
【図１４】複合機の動作状態をステイタス領域に表示する処理の第３実施形態を示すフローチャートである。
【符号の説明】
【００６５】
１          複合機
３１        記録部
５０        制御ユニット
５２        制御部
５２１      メインコントローラユニット
５２１１    動作制御部
５２１２    動作状態検出部
５２１３    プロキシサーバ
５２２      表示制御ユニット
５２２１    ウェブブラウザ
５２２２    パネルアプリケーション
４１０      表示部
４１０１    初期画面
４１０２    コピー動作中画面
４１０３    ウェブページ表示画面
４１０５    ステイタス領域
【図１】
2010068455.tif 000003
【図２】
2010068455.tif 000004
【図３】
2010068455.tif 000005
【図４】
2010068455.tif 000006
【図５】
2010068455.tif 000007
【図６】
2010068455.tif 000008
【図７】
2010068455.tif 000009
【図８】
2010068455.tif 000010
【図９】
2010068455.tif 000011
【図１０】
2010068455.tif 000012
【図１１】
2010068455.tif 000013
【図１２】
2010068455.tif 000014
【図１３】
2010068455.tif 000015
【図１４】
2010068455.tif 000016